(57)【要約】【課題】上側からの入射光に対する受光感度を低下させると同時に、下側からの入射光に対する受光感度を向上させることができる受光装置を提供する【解決手段】受光装置は、リモコン信号光を受光する受光部１と、受光部１へリモコン信号光５を導く導光管１２とを備える。そして、導光管１２は、底面に開口面側に向かって下方に傾斜する傾斜面１２ａを有する。【選択図】図２
2008078896.tif 000002
【特許請求の範囲】
【請求項１】
リモコン信号光を受光する受光部と、前記受光部へリモコン信号光を導く導光管とを備える受光装置において、
前記導光管は、底面に開口面側に向かって下方に傾斜する傾斜面を有することを特徴とする受光装置。
【請求項２】
前記傾斜面に凹凸部を設けることを特徴とする請求項１記載の受光装置。
【請求項３】
前記傾斜面に黒塗り部を設けることを特徴とする請求項１記載の受光装置。
【請求項４】
前記導光管は、中空角型形状であることを特徴とする請求項１記載の受光装置。
【請求項５】
前記導光管は、水平な底面を有する中空円弧形状であることを特徴とする請求項１記載の受光装置。
【請求項６】
前記傾斜面は、開口面に対して略４５度傾斜していることを特徴とする請求項１記載の受光装置。
【請求項７】
前記導光管が導光するリモコン信号光として赤外線を用いることを特徴とする請求項１記載の受光装置。
【発明の詳細な説明】
【技術分野】
【０００１】
本発明は、機器を遠隔制御するワイヤレスリモートコントローラからのリモコン信号光を受光する受光装置に関するものである。
【背景技術】
【０００２】
機器を遠隔制御するためのリモコン装置としては、有線形式のリモートコマンダや、無線形式のワイヤレスリモートコントローラ等がある。
【０００３】
受光装置としては図１５に示すように、受光部１と導光管２とから構成されるのが一般的である。導光管２の開口面２ａは、遠隔制御される機器の筐体３の前面３ａに面を合わせて配置される。受光部１は、機器の向かいに存在する操作者４からワイヤレスリモートコントローラを用いて発信されるリモコン信号光５を電気信号へと変換するフォトダイオードとフィルタ、アンプなどで構成される。導光管２は、様々な角度から発信されるリモコン信号光５を受光部１に導く。一般的に、角柱形状や円柱形状の導光管がよく用いられる。
【０００４】
ここで、インバータ照明が設置されている環境下でのワイヤレスリモートコントローラの誤動作が問題となっている。これは、インバータ照明の点灯周波数（数十〜数百ｋＨｚ）が、リモコン信号光の搬送波周波数（４０ｋＨｚ付近の赤外線）に近いため、インバータ照明の光が妨害光となるからである。
【０００５】
そこで、このような誤動作を防止するため、妨害光を受光しにくくした形状の導光管が提案されている（例えば、特許文献1参照）。一般的にインバータ照明からの光は非制御機器の上側から照射される。特許文献１では、操作者側から受光部側に向けて導光管に広がりを持たせる傾斜面を設けることによって、上側からの光に対しては受光部へと導光せず、感度を下げるような構造を提案している。
【特許文献１】特開２００４−２７４４０７号公報
【発明の開示】
【発明が解決しようとする課題】
【０００６】
インバータ照明の点灯周波数（数十〜数百ｋＨｚ）が、リモコン信号光の搬送波周波数（４０ｋＨｚ付近の赤外線）に近いために生じる誤動作を防ぐため、受光装置の上側からの入射光に対する受光感度を低下させることが求められている。
【０００７】
一方で、近年急速に普及しつつある薄型テレビが壁掛け状態やチルト状態で設置されることを考慮し、受光装置の下側からの入射光に対する受光感度を向上させることが望まれている。
【０００８】
しかし、従来の一般的な導光管の形状では、上側からの入射光に対する受光感度を低下させると同時に、下側からの入射光に対する受光感度を向上させることができなかった。また、特許文献１に記載の導光管の形状では、上側からの入射光に対する受光感度を低下させることはできるが、下側からの入射光に対する受光感度を向上させることができなかった。
【０００９】
本発明の目的は、上側からの入射光に対する受光感度を低下させると同時に、下側からの入射光に対する受光感度を向上させることができる受光装置を提供することにある。
【課題を解決するための手段】
【００１０】
上記目的を達成するために、請求項１記載の受光装置は、リモコン信号光を受光する受光部と、前記受光部へリモコン信号光を導く導光管とを備える受光装置において、前記導光管は、底面に開口面側に向かって下方に傾斜する傾斜面を有することを特徴とする。
【発明の効果】
【００１１】
本発明の受光装置は、導光管の底面に、開口面側に向かって下方に傾斜する傾斜面を設けたので、上側からの入射光に対する受光感度を低下させると同時に、下側からの入射光に対する受光感度を向上させることができる。
【発明を実施するための最良の形態】
【００１２】
以下、本発明の実施の形態を図面を参照しながら詳細に説明する。
【００１３】
図１は、本発明の第１の実施の形態に係る受光装置を拡大して示す薄型テレビ（非制御機器）の斜視図である。
【００１４】
図１において、薄型テレビ（非制御機器）１１の筐体３には、受光部１と導光管１２からなる受光装置が搭載される。導光管１２は、操作者４からのリモコン信号光５を受光部１へ導く。
【００１５】
本実施の形態の筒状の導光管１２は、図２以下で詳述するように、底面に、開口面側に向かって下方に傾斜する傾斜面１２ａを有する。
【００１６】
図２は、図１における受光装置と光の入射角との関係を示す図である。
【００１７】
上述したように、本実施の形態の筒状の導光管１２は、底面に、開口面側に向かって下方に傾斜する傾斜面１２ａを有する。
【００１８】
受光部１の上側（傾斜面１２ａに対して垂直方向）からのインバータ照明２１の光２２は、導光管１２の傾斜面１２ａによって受光部１とは異なる方向に反射され、受光されにくくなる。また、下側（傾斜面１２ａに対して水平方向）からのリモコン信号光５は導光管１４の傾斜面１２ａによって入射径が広くなるため、受光されやすくなる。
【００１９】
尚、図２については、後にさらに詳述する。
【００２０】
図３は、図１における第１の実施の形態の受光装置の斜視図、図４は、本発明の第２の実施の形態に係る受光装置の斜視図である。
【００２１】
図３において、導光管１２−１（図４の導光管１２−２と区別した）は、中空角型である。
【００２２】
図４において、導光管１２−２は、中空円弧型である。
【００２３】
中空角型、中空円弧型のほかにも中空筒状であれば、種々の形状が考えられる。傾斜面１２ａは、平面の他、曲面を含むものでも良い。導光管１２はポリカーボネート、アクリル、ガラスなどの光を導光する物質で形成される。
【００２４】
図５は、一般的なリビングルームに薄型テレビが設置された場合の受光装置とインバータ照明の距離関係を示す図である。
【００２５】
図５において、一般的なリビングルーム（８〜１２畳）の壁から壁までの距離は４〜５ｍである。そしてインバータ照明２１は部屋の中央に、薄型テレビ１１は壁に近接した位置に設置されることを考慮して、受光装置−インバータ照明間の幅を２．０ｍとする。
【００２６】
次に、一般的なリビングルームの天井の高さが２．５ｍ〜２．８ｍであることを考慮して、インバータ照明２１の高さを２．５ｍとする。さらに、一般的なテレビ台を使用した場合の受光装置の高さを０．５ｍとすると、受光装置−インバータ照明間の高さは２．０ｍとなる。これらの距離関係から、インバータ照明光２２が受光装置の導光管に入射する角度は４５°となる。
【００２７】
図６は、図１における第１の実施の形態の受光装置の寸法関係を示す図であり、（ａ）は側面図、（ｂ）は正面図である。
【００２８】
図６において、受光部１の受光面の高さ３１を例えば５ｍｍとする。導光管１２は、例えば高さ３２が５ｍｍ、幅３３が５ｍｍの正方形の面を持つ角柱と、高さ３４が１０ｍｍ、幅３３が５ｍｍの長方形の面を、４５°の斜面１２ａで接続した構造とする。
【００２９】
上述した図２に戻り、図６の導光管を用いる場合の光の入射角を説明する。
【００３０】
図２において、インバータ照明光２２は入射角度４１をもって入射するが、これは４５°となる。また、下側からのリモコン信号光５の入射角度４２も４５°であるとする。
【００３１】
このような場合、導光管１２の傾斜角度（傾斜面１２ａと開口面１２ｂとのなす角度）４３が４５°であることにより、上側からのインバータ照明光２２は、入射方向と平行な方向に反射することになり、受光部１へは導光されない。
【００３２】
図７は、薄型テレビを壁掛け設置した状態を示す図、図８は、薄型テレビをチルト状態で設置した状態を示す図である。
【００３３】
図７に示すように、薄型テレビ１１を壁５１に掛けて設置した場合や、図８に示すように、チルト状態で設置した場合リモコン信号光５に対して入射径が大幅に拡大し、受光しやすくなる。このように、導光管１２の傾斜面１２ａの傾斜角度４３が４５°であるときに、インバータ照明光２２の妨害に強く、下側からの受光感度も向上させることができる。
【００３４】
但し、導光管１２の傾斜角度４３は必ずしも４５°に限定されるものではなく、幾らか増減しても同様の効果が得られる。
【００３５】
図９は、本発明の第３の実施の形態に係る受光装置の構成図である。
【００３６】
図９において、導光管１２の傾斜面１２ａには凹凸部６１が設けられている。上側からのインバータ照明光２２は凹凸部６１にて乱反射し、受光部１へと導光されることが無い。凹凸部６１はシボ加工のように不規則な表面処理を施してもよい。
【００３７】
図１０は、本発明の第４の実施の形態に係る受光装置の構成図である。
【００３８】
図１０において、導光管１２の傾斜面１２ａには黒塗り部７１が設けられている。上側からのインバータ照明光２２は黒塗り部７１にて吸収され、受光部１へと導光されることが無い。黒塗り部７１は金属酸化物系塗料やカーボンブラック系塗料など、光吸収率の高いものを用いる。
【００３９】
上側からの信号（インバータ照明光２２）の入射について、図１１に従来の一般的な導光管２を用いた場合、図１２に本発明の傾斜面付き導光管１２を用いた場合を示す。一般的な導光管２では、上側からの光は導光管内での反射を経て受光部１まで到達するが、本発明の傾斜面付き導光管１２では、上側からの光は受光部側へ反射しないため、最終的に受光部１へと到達しない。
【００４０】
壁掛け、チルト時の下側からの信号の入射について、図１３に従来の一般的な導光管２を用いた場合、図１４に本発明の傾斜面付き導光管１２を用いた場合を示す。従来の一般的な導光管２では、下側からの信号光に対する入射径８１が制限されるため、受光部１まで到達する信号が少ない。一方、本発明の傾斜面付き導光管１２では、下側からの信号光に対する入射径８１が大きくなるため、受光部１まで到達する信号が多くなり、感度が向上する。
【図面の簡単な説明】
【００４１】
【図１】本発明の第１の実施の形態に係る受光装置を拡大して示す薄型テレビ（非制御機器）の斜視図である。
【図２】図１における受光装置と光の入射角との関係を示す図である。
【図３】図１における第１の実施の形態の受光装置の斜視図である。
【図４】本発明の第２の実施の形態に係る受光装置の斜視図である。
【図５】一般的なリビングルームに薄型テレビが設置された場合の受光装置とインバータ照明の距離関係を示す図である。
【図６】図１における第１の実施の形態の受光装置の寸法関係を示す図である。
【図７】薄型テレビを壁掛け設置した状態を示す図である。
【図８】薄型テレビをチルト状態で設置した状態を示す図である。
【図９】本発明の第３の実施の形態に係る受光装置の構成図である。
【図１０】本発明の第４の実施の形態に係る受光装置の構成図である。
【図１１】従来例に係る受光装置において、上側からのインバータ照明光を入射する様子を示す図である。
【図１２】本発明の受光装置において、上側からのインバータ照明光を入射する様子を示す図である。
【図１３】従来例に係る受光装置において、下側からのリモコン信号光を入射する様子を示す図である。
【図１４】本発明の受光装置において、下側からのリモコン信号光を入射する様子を示す図である。
【図１５】従来例に係る受光装置の構成図である。
【符号の説明】
【００４２】
１  受光部
５  リモコン信号光
１１  薄型テレビ
１２  導光管
１２ａ  傾斜面
２１  インバータ照明
２２  インバータ照明光
６１  凹凸部
７１  黒塗り部
【図１】
2008078896.tif 000003
【図２】
2008078896.tif 000004
【図３】
2008078896.tif 000005
【図４】
2008078896.tif 000006
【図５】
2008078896.tif 000007
【図６】
2008078896.tif 000008
【図７】
2008078896.tif 000009
【図８】
2008078896.tif 000010
【図９】
2008078896.tif 000011
【図１０】
2008078896.tif 000012
【図１１】
2008078896.tif 000013
【図１２】
2008078896.tif 000014
【図１３】
2008078896.tif 000015
【図１４】
2008078896.tif 000016
【図１５】
2008078896.tif 000017